(57)【要約】【課題】竿掛けアームを回動させて上向き方向から収納する竿掛けアーム収納部分を簡略化して複雑な動きや機構を排除しスムーズな動きの竿掛けアーム収納操作が可能な物干し竿支持装置を提供する。【解決手段】竿掛けアーム１３は、第一のスライド溝１５と第二のスライド溝を有し、該竿掛けアームの端部で前記第一のスライド溝１５の延長上に並列して第一のアーム枢着軸１７と第二のアーム枢着軸１８を突設して設け、該第一並びに第二のアーム枢着軸１７、１８を上壁９と斜壁１０並びにＲ壁１１が構成する竿掛けアーム挟持部８に嵌着し、該アーム挟持部８の範囲で摺動及び回動自在に枢設し、該第一のアーム枢着軸１７が前記アーム挟持部７の上壁９に当接され第二のアーム枢着軸１８が斜壁１０下部に当接されると前記竿掛けアーム１３は長手方向が水平方向から略４０度に保持される構成とした。  【選択図】図１
2006061437.tif 000002
【特許請求の範囲】
【請求項１】
バルコニー手摺を構成するコンクリート立ち上がり壁等に固定される支柱固定金具、該支柱固定金具に支持内挿され上下方向に摺動自在でストッパーを介して摺動方向に連結釈放可能なスライド柱、該スライド柱上端部に冠着され竿掛けアーム挟持部を有したアーム固定具、該アーム固定具の竿掛けアーム挟持部に第一のアーム枢着軸及び第二のアーム枢着軸にて枢着される竿掛けアームにあって、
前記竿掛けアームにはアーム上背側縁部に刻設し長手方向に伸びる第一のスライド溝と該第一のスライド溝より内部側に位置して第一のスライド溝と並行して刻設された第二のスライド溝を有し、
前記第一のスライド溝の端部で前記第一のスライド溝の延長上に並列して第一のアーム枢着軸と第二のアーム枢着軸を突設して設け、
該第一並びに第二のアーム枢着軸をアーム固定具の上部壁と斜壁並びにＲ壁が構成する竿掛けアーム挟持部に嵌着し、
該アーム挟持部の範囲で摺動及び回動自在に枢設し、該第一のアーム枢着軸が前記アーム挟持部の上壁に当接され第二のアーム枢着軸が斜壁下部に当接されると前記竿掛けアーム長手方向が水平方向から略４０度に保持される構成となし、  また、前記竿掛けアームは該竿掛けアームを垂直方向まで回動して収納動作に入る際に前記第二のスライド溝端部に設けた開口にアーム挟持部の両側より突設された一対の案内突起が挿着して挟持され、
更に前記竿掛けアームの第一のスライド溝の開口にはアーム挟持部の両側より突設された一対のガイド突起が挿着して挟持され竿掛けアームを下方向に摺動可能に構成したこと、
を特徴とする物干し竿支持装置。
【請求項２】
バルコニー手摺を構成するコンクリート立ち上がり壁等に固定される支柱固定金具、該支柱固定金具に支持内挿され上下方向に摺動自在でストッパーを介して摺動方向に連結釈放可能なスライド柱、該スライド柱上端部に冠着され竿掛けアーム挟持部を有したアーム固定具、該アーム固定具の竿掛けアーム挟持部に第一のアーム枢着軸及び第二のアーム枢着軸にて枢着される竿掛けアームあって、
前記支柱固定金具に支持内挿され上下方向に摺動自在なスライド柱はストッパーレバーを介して摺動方向に連結保釈可能であり、
該ストッパーレバーは蝶型摘子を介して前記支柱固定具の左右両方向に伸張し、
該ストッパーレバーの操作を支柱固定具の左右に突出した蝶型摘子て任意に操作可能となし、
前記スライド柱の高さを上下動せしめ竿掛けアームの高さ調整可能としたこと、
を特徴とする物干し竿支持装置。
【請求項３】
前記竿掛けアームの出幅が５００ｍｍの場合に、第一のスライド溝内を摺動するガイド突起と第二のスライド溝内を摺動する案内突起間の距離が略１００ｍｍに設定することで竿掛けアームのガタツキを防止すること、
を特徴とする請求項１または請求項２記載の物干し竿支持装置。
【請求項４】
前記竿掛けアームに刻設される第一のスライド溝並びに第二のスライド溝を挟持するガイド突起並びの案内突起はそれぞれ合成樹脂等を被覆した構成部材からなり、
前記竿掛けアームを収納並びに竿掛け位置に設定する際に金属音の発生を防止し、
該合成樹脂被覆材の厚さ及び大きさを調整することで内部公差を吸収して竿掛けアームの横揺れガタツキを軽減すること、
を特徴とする請求項１または請求項２記載の物干し竿支持装置。
【請求項５】
前記スライド柱を円柱や半円形、または角パイプ形状のホロー材と成し、
該ホロー材はスライド柱を支持内挿する支柱固定金具に対向する面を除き他面は平面またはR面から形成され掌、指等が挿入できる長手方向の溝を作らないこと、
を特徴とする請求項１乃至請求項４記載の物干し竿支持装置。
【発明の詳細な説明】
【技術分野】
【０００１】
本発明は、建物のバルコニーを構成するコンクリート立ち上がり壁面やバルコニーの金属製手摺支柱間に設置される物干し竿支持装置に関するものである。
【０００２】
本発明は、物干し竿を両端で支持する１対の竿掛けアームと該竿掛けアームをそれぞれ支持して上下方向にスライド可能なスライド柱と、該スライド柱を建物の壁面やバルコニーの手摺支柱間等に固定するための支柱固定金具からなり、前記スライド柱を伸長して干し物を高く掛け干し、また収納時に物干し竿を取り外すことなく上向き方向に竿掛けアームを回動させてから、下方向に引き下げて収納可能な物干し竿支持装置に関するものである。
【背景技術】
【０００３】
従来より竿掛けアームを回動させて上向き方向に収納するタイプの物干し竿掛けとして、特公平１−４８００号、特公平１−２０９１８号、特公平７−９６０８０号、特許第２６７３４１９号、特許第３１６３０３５号、特許第３０５１６９６号、特許第３０３４４７１号、特開平９−３２７５９６号、特開平８−１０７９９３号等が知られている。
【０００４】
然しながら、上記の従来装置は、竿掛けアームを回動させて上向きに方向に収納する機構が複雑で、動きがスムーズでなく、また、部品数が多いために製作コストが高い等の欠点があり、その改良に関する発明が多い。
【０００５】
また、上記物干し装置は、竿掛けアームを回動させて上向き方向に収納するタイプの物干し竿掛けを上部に冠持したスライド柱を上下方向にスライド可能として、該スライド柱を建物の壁面やバルコニーの手摺等に支柱固定金具により固定する構成として、前記スライド柱を伸長して前記竿掛けアームの高さを調整する装置が組み込まれている。
【０００６】
竿掛けアームの高さ調整装置としての従来技術には、特公平７−４１１１６号、実用新案登録第２５０２９５５号、特許第２８２８８２７号、特開平７−３２８２８４号、特開平９−３０８７９９号等が知られている。
【０００７】
然しながら、上記の従来装置の中には、単なるスライド柱にストッパーレバーを設けたもので、該ストッパーレバーを誤って操作してしまうと物干し具を取り付けたスライド柱が急落して大変危険であった。また、この点を改良するためにスライド柱を上下方向にスライドさせる機構と安全機構を組み込むと、該機構がが複雑で部品数が多くなり、製作コストが高価になってしまっている。
【０００８】
また、上述の竿掛けアームを回動させて上向き方向に収納するタイプの物干し竿掛けにおいて、竿掛けアームの収納を、高さ調整用のスライド柱の全面にガイド溝を設けて、該ガイド溝内で竿掛けアームの縁部を挟持した特許第３１６３０３５号、特許第３０５１６９６号並びに特許第３０３４４７１号等も知られている。
【０００９】
然しながら、上記の従来例においては、物干し金物の利用者と対向する形で前記スライド柱の前面長手方向に刻設されたガイド溝が露出されており、該ガイド溝内に竿掛けアームを収納する際、並びにスライド柱を上下動させる際には、前記スライド柱は手で持って操作する構成であることから、ガイド溝と竿掛けアーム間で指を挟む等の怪我が発生するおそれがある。また、ガイド溝は、美観を損ねるのもでスライド柱の外観上には、溝が刻設されていない方がデザイン的にも優れた製品になる。
【特許文献１】特公平１−４８００号公報
【特許文献２】特公平１−２０９１８号公報
【特許文献３】特公平７−９６０８０号公報
【特許文献４】特許第２６７３４１９号公報
【特許文献５】特許第３１６３０３５号公報
【特許文献６】特許第３０５１６９６号公報
【特許文献７】特許第３０３４４７１号公報
【特許文献８】特開平９−３２７５９６号公報
【特許文献９】特開平８−１０７９９３号公報
【特許文献１０】特公平７−４１１１６号公報
【特許文献１１】実用新案登録第２５０２９５５号公報
【特許文献１２】特許第２８２８８２７号公報
【特許文献１３】特開平７−３２８２８４号公報
【特許文献１４】特開平９−３０８７９９号公報
【発明の開示】
【発明が解決しようとする課題】
【００１０】
而して、本発明は上記問題に鑑みてなされたもので、竿掛けアームを回動させて上向き方向に収納する竿掛けアーム収納部分、並びに、前記物干し竿掛けを上部に冠持したスライド柱を上下方向にスライド可能に構成して、竿掛けアームの高さ調整をする部分を、徹底して簡略化し複雑な動きや機構を排除しスムーズな動きの竿掛けアーム収納操作、並びに安全なスライド柱の高さ調整操作が出来る物干し竿支持装置を具現化する。
【００１１】
また、本発明における竿掛けアームは、該竿掛けアームに刻設された第一のスライド溝の端部で前記第一のスライド溝の延長上に並列して第一のアーム枢着軸と第二のアーム枢着軸を突設して設け、該第一並びに第二のアーム枢着軸をアーム固定具の上壁と斜壁、並びにＲ壁が構成する竿掛けアーム挟持部に嵌着し、該アーム挟持部の範囲で摺動及び回動自在に枢設し、該第一のアーム枢着軸が前記アーム挟持部の上壁に当接され、第二のアーム枢着軸が斜壁下部に当接されると、前記竿掛けアームは長手方向が水平方向から略４０度に保持されて干し物乾燥時に非常に効率の良い物干し竿掛けを具現化する。
【００１２】
また、本発明においては、竿掛けアームの収納時に、竿掛けアーム挟持部と竿掛けアームが横揺れしたり、ガタツキがあることで、強風時に音を発生することがあり、この音鳴りを防止した物干し竿支持装置を具現化する。
【００１３】
更にまた、本発明では、前記作動部の部品数を簡素化して製作コストを安価することが可能な物干し竿支持装置を具現化する。
【課題を解決するための手段】
【００１４】
本発明の物干し竿支持装置は、バルコニー手摺を構成するコンクリート立ち上がり壁等に固定される支柱固定金具、該支柱固定金具に支持内挿され上下方向に摺動自在でストッパーを介して摺動方向に連結釈放可能なスライド柱、該スライド柱上端部に冠着され竿掛けアーム挟持部を有したアーム固定具、該アーム固定具の竿掛けアーム挟持部に第一のアーム枢着軸、及び第二のアーム枢着軸にて枢着される竿掛けアームを有している。
【００１５】
而して、前記竿掛けアームにはアーム上背側縁部に刻設した長手方向に伸びる第一のスライド溝と、該第一のスライド溝より内部側に位置して第一のスライド溝と並行して刻設された第二のスライド溝を有し、前記第一のスライド溝の端部で前記第一のスライド溝の延長上に並列して第一のアーム枢着軸と第二のアーム枢着軸を突設して設け、該第一並びに第二のアーム枢着軸をアーム固定具の上壁と斜壁、並びにＲ壁が構成する竿掛けアーム挟持部に嵌着し、該アーム挟持部の範囲で摺動及び回動自在に枢設し、該第一のアーム枢着軸が前記アーム挟持部の上壁に当接され、第二のアーム枢着軸が斜壁下部に当接されると前記竿掛けアームの長手方向が水平方向から略４０度に保持される構成とした。
【００１６】
また、前記竿掛けアームは、該竿掛けアームの先端部を持ち上げて垂直方向まで回動することで竿掛けアームの収納動作に入るが、前記第二のスライド溝端部に設けた開口にアーム挟持部の両側より突設された一対の案内突起が挿着して挟持され、更に前記竿掛けアームの第一のスライド溝の開口には、アーム挟持部の両側より突設された一対のガイド突起が挿着して挟持され竿掛けアームを下方向に摺動可能に構成している。
【００１７】
本発明の物干し竿支持装置は、バルコニー手摺を構成するコンクリート立ち上がり壁等に固定される支柱固定金具、該支柱固定金具に支持内挿され上下方向に摺動自在でストッパーを介して摺動方向に連結釈放可能なスライド柱、該スライド柱上端部に冠着され竿掛けアーム挟持部を有したアーム固定具、該アーム固定具の竿掛けアーム挟持部に第一のアーム枢着軸及び第二のアーム枢着軸にて枢着される竿掛けアームあって、前記支柱固定金具に支持内挿され上下方向に摺動自在なスライド柱は、ストッパーレバーを介して摺動方向に連結保釈可能であり、該ストッパーレバーは、蝶型摘子を介して前記支柱固定具の左右両方向に伸張し、該ストッパーレバーの操作を支柱固定具の左右に大きく突出した前記蝶型摘子にて左右のどちらかの方向で任意に操作可能となし、前記スライド柱の高さを上下動せしめ竿掛けアームの高さ調整可能としている。  
【００１８】
従って、前記支柱固定金具に支持内挿され上下方向に摺動自在なスライド柱は蝶型摘子を介して支柱固定金具の左右両方向で操作でき、該操作は蝶型摘子が支柱固定具の左右に大きく突出している構造であることから、直視して操作可能で、竿掛けアームの高さ調整操作を容易にしている。
【００１９】
更に本発明においては、前記竿掛けアームの出幅が５００ｍｍの場合に、第一のスライド溝内を摺動するガイド突起と第二のスライド溝内を摺動する案内突起間の距離が略１００ｍｍに設定することで竿掛けアームのガタツキを防止する効果を得ることが可能である。
【００２０】
また、本発明において、前記竿掛けアームに刻設される第一のスライド溝、並びに第二のスライド溝を挟持するガイド突起、そして案内突起はそれぞれ合成樹脂等を被覆した構成部材からなり、前記竿掛けアームを収納、並びに竿掛け位置に設定する際に金属音の発生を防止し、該合成樹脂被覆材の厚さ及び大きさを調整することで内部公差を吸収して竿掛けアームの横揺れや、ガタツキを大幅に軽減した物干し竿支持装置を提供する。
【００２１】
更にまた、本発明においては、前記スライド柱を円柱、半円柱、又は角パイプ形状のホロー形状材として押出成形し、該ホロー形状材からなるスライド柱は、支柱固定金具に支持挿着するために該支柱固定金具と対向する面を除き、他面は平面またはR面から形成され掌、指等が挿入できる長手方向の溝を作らないことで収納する竿掛けアームと長手方向の溝間に指が挟まれ怪我をすることを防止した物干し竿支持装置を提供する。          
【発明の効果】
【００２２】
斯くして、本発明においては、竿掛けアームを回動させて上向き方向に収納する竿掛けアーム収納部分、並びに、前記物干し竿掛けを上部に冠持したスライド柱を上下方向にスライド可能として、竿掛けアームの高さ調整をする部分を、徹底して簡略化して複雑な動きや機構を排除し、スムーズな動きの竿掛けアーム収納操作、並びに安全なスライド柱の高さ調整操作が出来るようになった。
【００２３】
また、本発明では、前記作動部の部品数を従来装置に比較して、簡素化できるので、製作コストを安価することが可能となった。
【００２４】
更に、本発明においては竿掛けアームに刻設される第一のスライド溝、並びに第二のスライド溝を挟持するガイド突起、そして案内突起はそれぞれ合成樹脂等を被覆した構成部材からなり、前記竿掛けアームを収納、並びに竿掛け位置に設定する際に金属音の発生を防止し、該合成樹脂被覆材の厚さ及び大きさを調整することで内部公差を吸収して竿掛けアームの横揺れや、ガタツキによる音鳴りを大幅に軽減したた物干し竿支持装置を提供することができた。
【発明を実施するための最良の形態】
【００２５】
本発明の物干し竿支持装置は、バルコニー手摺を構成するコンクリート立ち上がり壁等に固定される支柱固定金具、該支柱固定金具に支持内挿され上下方向に摺動自在でストッパーを介して摺動方向に連結釈放可能なスライド柱、該スライド柱上端部に冠着され竿掛けアーム挟持部を有したアーム固定具、該アーム固定具の竿掛けアーム挟持部に第一のアーム枢着軸及び第二のアーム枢着軸にて枢着される竿掛けアームである。
【００２６】
而して、本発明における竿掛けアームは、アーム上背側縁部に刻設した長手方向に伸びる第一のスライド溝と、該第一のスライド溝より内部側に位置して第一のスライド溝と並行して刻設された第二のスライド溝を有し、前記第一のスライド溝の端部で前記第一のスライド溝の延長上に並列して第一のアーム枢着軸と第二のアーム枢着軸を突設して設け、該第一並びに第二のアーム枢着軸をアーム固定具の上部壁と斜壁並びにＲ壁が構成する竿掛けアーム挟持部に嵌着し、該アーム挟持部の範囲で摺動及び回動自在に枢設し、該第一のアーム枢着軸が前記アーム挟持部の上壁に当接され、第二のアーム枢着軸が斜壁下部に当接されると、前記竿掛けアームの長手方向が水平方向から略４０度に保持される構成とすることが好ましい。
【００２７】
また、前記竿掛けアームは、該竿掛けアームを垂直方向まで回動して収納動作に入る際に、前記第二のスライド溝端部に設けた開口にアーム挟持部の両側より突設された一対の案内突起が挿着して挟持され、更に前記竿掛けアームの第一のスライド溝の開口には、アーム挟持部の両側より突設された一対のガイド突起が挿着して挟持され、竿掛けアームを下方向に摺動可能に構成することが好ましい。
【００２８】
本発明は、バルコニー手摺を構成するコンクリート立ち上がり壁等に固定される支柱固定金具、該支柱固定金具に支持内挿され上下方向に摺動自在でストッパーを介して摺動方向に連結釈放可能なスライド柱、該スライド柱上端部に冠着され竿掛けアーム挟持部を有したアーム固定具、該アーム固定具の竿掛けアーム挟持部に第一のアーム枢着軸、及び第二のアーム枢着軸にて枢着される竿掛けアームあって、前記支柱固定金具に支持内挿され上下方向に摺動自在なスライド柱は、ストッパーレバーを介して摺動方向に連結保釈可能であり、該ストッパーレバーは蝶型摘子を介して前記支柱固定具の左右両方向に伸張し、該ストッパーレバーの操作を支柱固定具の左右に突出した蝶型摘子て任意に操作可能となし、前記スライド柱の高さを上下動せしめ竿掛けアームの高さ調整可能に構成することが好ましい。
【００２９】
また、本発明においては、前記竿掛けアームの出幅が５００ｍｍの場合に、第一のスライド溝内を摺動するガイド突起と第二のスライド溝内を摺動する案内突起間の距離が略１００ｍｍに設定することで竿掛けアームのガタツキを防止することが好ましい。
【００３０】
更に、本発明においては、竿掛けアームに刻設される第一のスライド溝、並びに第二のスライド溝を挟持するガイド突起、並びの案内突起はそれぞれ合成樹脂等を被覆した構成部材からなり、前記竿掛けアームを収納、並びに竿掛け位置に設定する際に金属音の発生を防止し、該合成樹脂被覆材の厚さ及び大きさを調整することで内部公差を吸収して竿掛けアームの横揺れガタツキを軽減することが好ましい。
【００３１】
更にまた、本発明においては、スライド柱を円柱や半円形、または角パイプ形状のホロー成形材として押出成形し、該ホロー材はスライド柱を支柱固定金具に支持内挿する面を除き他面は平面またはR面で形成され、掌や指等が挿入できる竿掛けアーム収納ガイド溝等の長手方向に刻設される溝を作らないことが好ましい。  
【実施例１】
【００３２】
本発明の実施例を図１乃至図１０に基づき説明する。図１は本発明の物干し竿支持装置を説明する側面図、図２はアーム挟持部の形状を示す要部断面説明図、図３は竿掛けアームの形状説明図で特に図２に枢着する竿掛けアーム端部を示す拡大図、図４は竿掛けアームがアーム挟持部に枢着され該部分での作動状態を説明する駆動図、図５及び図６はスライド柱と竿掛けアームの高さ調整機構を示す説明図、図７は及び図８は支柱固定金具とスライド柱との係合関係を説明するもので、図７は斜視説明図、図８は支柱固定金具とスライド柱部断面図、図９は蝶型摘子の形状説明図、図１０は図９の平面図である。
【００３３】
図１乃至図４に於いて、１はバルコニーやベランダの手摺を構成するコンクリート立ち上がり壁、２は該コンクリート立ち上がり壁１にアンカーボルト等にて固定される支柱固定金具、３は該支柱固定金具２に支持内挿され上下方向に摺動自在なスライド柱である。
【００３４】
而して、スライド柱３は前記支柱固定金具２に内装されたストッパーレバー４を介して前記上下摺動方向の動きを固定したり摺自在にコントロールでき、スライド柱３の高さを調整するもので、該ストッパーレバー４の先端部には蝶型摘子５がビス等で固着されている。そして該蝶型摘子５の両端部である摘子５a、５ｂは前記支柱固定金具２の左右に大きく突出して設けられており、左右どちらかの使い勝手にて前記ストッパーレバー４を操作できる。
【００３５】
前記スライド柱３の上端部には、アーム固定具６が冠着されており、該アーム固定具６にはスライド柱３への冠着部７、該冠着部７内に設けられたアーム挟持部８、該アーム挟持部８に形成された上壁９、斜壁１０、Ｒ壁１１を有している。
そして前記上壁９、斜壁１０、Ｒ壁１１の形状は図２に拡大して示してある。
尚、図２における１２a、１２ｂ、１２ｃ・・・は組み立て用のビス孔を示している。
【００３６】
斯くして、竿掛けアーム１３にはアーム上方の背側縁部１４に刻設された長手方向に伸びる第一のスライド溝１５と、該第一のスライド溝１５より内部側に位置して第一のスライド溝１５と並行して刻設された第二のスライド溝１６を有し、前記第一のスライド溝１５の端部で前記第一のスライド溝１５の延長上に並列して第一のアーム枢着軸１６と第二のアーム枢着軸１７を突設して設け、該第一並びに第二のアーム枢着軸１７、１８をアーム固定具６の上壁９と斜壁１０並びにＲ壁１１が構成する竿掛けアーム挟持部８に嵌着し、該アーム挟持部８の範囲で摺動及び回動自在に枢設し、該第一のアーム枢着軸１７が前記アーム挟持部８の上壁９に当接され第二のアーム枢着軸１８が斜壁１０下部に当接されると前記竿掛けアーム１３’の長手方向が水平方向から略４０度に保持される。
【００３７】
また、前記竿掛けアーム１３’は、該竿掛けアーム１３’を垂直方向まで回動して収納動作に入る際に前記第二のスライド溝１６端部に設けた開口１９（図３示す）にアーム挟持部８の両側より突設された一対の案内突起２０（図２に示す）が挿着して挟持され、更に前記竿掛けアーム１３’の第一のスライド溝１５の開口２１（図３に示す）には前記上壁９の縁部でアーム挟持部８の両側より突設された一対のガイド突起２２（図２に示す）が挿着して挟持され竿掛けアーム８を下方向に摺動可能に構成している。
【００３８】
図４は前記竿掛けアーム１３の動作を示している。図１にて示されている垂直方向に収納された竿掛けアーム１３を上に引き上げるとアーム挟持部８の上壁９に第一の枢着軸１７が当接する。
【００３９】
竿掛けアーム１３aはこの時の状態を図示しており、この状態で第一のアーム枢着軸１７を中心に略半径４０mmの第二の枢着軸１８が軌道し、斜壁１０に当たり竿掛けアーム１２ｂが予め設定された４０度の仰角を持って固定される。
【００４０】
前記竿掛けアーム１３bが４０度の仰角を持って保持された状態では、第二のアーム枢着軸１８はＲ壁１１に当接し、竿掛けアーム１３ｂの下方向の動きを阻止している。
尚、Ｒ壁１１は、第一のアーム枢着軸１７を中心として、第二のアーム枢着軸１８がスムーズに軌道できる役目を担っている。
【００４１】
斯くして本発明においては、形状が単純化され、該部分の部品数も竿掛けアーム１２とアーム挟持部８を有する冠着部７のみの構成になるため、スムーズな動きをする機構が安価に製作でき、製造コストの削減が計れた。
【００４２】
また、本発明の竿掛けアーム１３の高さ調整機構を、図５乃び図１０にて詳説する。図５及び図６はスライド柱と竿掛けアームの高さ調整機構を示す説明図、図７は及び図８は支柱固定金具とスライド柱との係合関係を説明するもので、図７は斜視説明図、図８は支柱固定金具とスライド柱部断面図、図９は蝶型摘子の形状説明図、図１０は図９の平面図であり、前記図１乃至図４と同一符号は同一構成要素を示している。  
【００４３】
本発明における竿掛けアーム１３の高さ調整機構は、バルコニー手摺を構成するコンクリート立ち上がり壁１等に固定される支柱固定金具２、該支柱固定金具２に支持内挿され上下方向に摺動自在でストッパー４を介して摺動方向に連結釈放可能なスライド柱３、該スライド柱３上端部に冠着され竿掛けアーム挟持部８を有したアーム固定具６、該アーム固定具６の竿掛けアーム挟持部８に第一のアーム枢着軸１７及び第二のアーム枢着軸１８にて枢着される竿掛けアーム１３であって、前記支柱固定金具２に支持内挿され上下方向に摺動自在なスライド柱３はストッパーレバー４を介して摺動方向に連結保釈可能であり、該ストッパーレバー４は蝶型摘子５を介して前記支柱固定金具２の左右両方向に伸張、突出し、該ストッパーレバー４の操作を支柱固定金具２の左右に突出した蝶型摘子５のそれぞれの摘子５a、５ｂて任意に操作可能となし、前記スライド柱３の高さを上下動せしめ竿掛けアーム１３の高さ調整可能に構成した。
【００４４】
而して、図５はスライド柱３を上部方向に持ち上げることにより前記蝶型摘子５、並びにストッパーレバー４に連繋されたラッチ爪２３がスライド柱３に穿設された固定孔２４a、２４ｂ、２４ｃ・・・より抜脱され、スライド柱３が上部方向に摺動できる状態を示している。尚、２５はストッパーレバー４の回転軸内に内装されたスプリングであり、該スプリング２５は前記ラッチ爪２３を常にスライド柱３側に押圧している。
【００４５】
また、図６は前記蝶型摘子５、並びにストッパーレバー４に連繋されたラッチ爪２３がスライド柱３に穿設された固定孔２４a、２４ｂ、２４ｃ・・・いずれかに挿着されて前記スライド柱３が固定された状態を示しており、この状態がスライド柱３の上部に冠着された竿掛けアーム１３の高さを設定する状態を作る。
【００４６】
斯くして、図７乃至図１０は支柱固定金具２とスライド柱３の係合関係並びに蝶型摘子５の形状を説明するもので、図７乃至図１０において、２は支柱固定金具、３はスライド柱、５は蝶型摘子、４はストッパーレバー、２３はラッチ爪である。蝶型摘子５は支柱固定金具２の左右両側に大きく突出し左右両側のどちらかでも操作できるように摘子５a、５ｂを有している。
【００４７】
また支柱固定金具２の前記スライド柱３との係合部２６a、２６ｂは支持固定金具２に設けたスライド柱３が嵌合して摺動可能な係合溝２７a、２７ｂを有する。
【００４８】
而して、図８は支柱固定金具２の係合溝２７a、２７ｂにスライド柱３が摺動可能に係合している状態を示している。
本発明においては、スライド柱３を円柱２８（図８の例）や半円形、または角パイプ形状のホロー材と成し、該ホロー材はスライド柱３を支持内挿する支柱固定金具３に対向するホロー材の面２９を除き他面３０は平面またはR面から形成され掌、指等が挿入できる竿掛けアーム１３の収納ガイド溝等の長手方向に刻設される溝を作らない構成とすることで、該溝と竿掛けアーム間で指を挟んで怪我をすることを防止した。
【００４９】
そして、前記スライド柱３の高さ調整は、スライド柱３を利用者が持ち、該スライド柱３を上部方向に引っ張るのみで高さを高くすることができ、スライド柱３を低く下げる場合には、該スライド柱３を持ち、前記支柱固定金具２の左右両側に大きく突出した摘子５a、または５ｂを引くことで、ラッチ爪２３が固定孔２４a、２４ｂ、２４ｃ・・・等より抜脱して容易に引き下げ操作が安全に行える。    
【００５０】
また、本発明の大きな特徴として、前記竿掛けアーム１３の出幅Ｗが５００ｍｍの場合に、第一のスライド溝１５内を摺動するガイド突起２２と第二のスライド溝１６内を摺動する案内突起２０間の距離Ｌが略１００ｍｍに設定することで竿掛けアーム１３の収納位置でのガタツキを防止することができた。
【００５１】
更に、本発明においては、竿掛けアーム１３に刻設される第一のスライド溝１５、並びに第二のスライド溝１６を挟持するガイド突起２２，並びの案内突起２０はそれぞれ合成樹脂等を被覆した構成部材からなり、前記竿掛けアーム１３を収納、並びに竿掛け位置に設定する際に、金属音の発生を防止し、該合成樹脂被覆材の厚さ及び大きさを調整することで内部公差を吸収して竿掛けアーム１３の横揺れガタツキを軽減することができた。
【００５２】
また、上述のことと同様に本発明においては、前記第一のアーム枢着軸１７、並びに第二のアーム枢着軸１８にも合成樹脂等からなる軸キャップ等を被覆せしめると、該第一のアーム枢着軸１７、並びに第二のアーム枢着軸１８は、アーム挟持部８の内部を移動する際に金属音の発生を防止しでき、前記軸キャップの厚さ、大きさを調整することで内部公差を吸収して竿掛けアーム１３の横揺れを軽減することが可能である。
【産業上の利用可能性】
【００５３】
斯くして、本発明においては、竿掛けアームを回動させて上向き方向に収納する竿掛けアーム収納部分、並びに、前記物干し竿掛けを上部に冠持したスライド柱を上下方向にスライド可能として、竿掛けアームの高さ調整をする部分を、徹底して簡略化して複雑な動きや機構を排除し、スムーズな動きの竿掛けアーム収納操作、並びに安全なスライド柱の高さ調整操作が出来るようになった。
【００５４】
また、本発明では、前記作動部の部品数を従来装置に比較して、簡素化できるので、製作コストを安価することが可能となった。
【００５５】
更に、本発明においては竿掛けアームに刻設される第一のスライド溝、並びに第二のスライド溝を挟持するガイド突起、そして案内突起は、それぞれ合成樹脂等を被覆した構成部材からなり、前記竿掛けアームを収納、並びに竿掛け位置に設定する際に金属音の発生を防止し、該合成樹脂被覆材の厚さ及び大きさを調整することで内部公差を吸収して竿掛けアームの横揺れや、ガタツキによる音鳴りを大幅に軽減したた物干し竿支持装置を提供することが可能になり、産業上の利用価値は多大なものがある。
【図面の簡単な説明】
【００５６】
【図１】本発明の実施例を説明する側面図である。
【図２】アーム挟持部の形状を示す要部拡大断面図図である。
【図３】竿掛けアームの形状を説明図する一部拡大図である。
【図４】竿掛けアームの作動状態を説明する駆動図である。
【図５】竿掛けアームの高さ調整機構説明図である。
【図６】竿掛けアームの高さ調整機構説明図である。
【図７】支柱固定金具とスライド柱との係合関係を示す斜視説明図である。
【図８】支柱固定金具とスライド柱との係合関係を示す断面図である。
【図９】蝶型摘子の形状説明図である。
【図１０】図９の平面図である。
【符号の説明】
【００５７】
１  コンクリート立ち上がり壁
２  支柱固定金具
３  スライド柱
４  ストッパーレバー
５  蝶型摘子
５a、５ｂ  摘子
６  アーム固定具
７  冠着部
８  アーム挟持部
９  上壁
１０  斜壁
１１  Ｒ壁
１２a、１２ｂ、１２ｃ、１２ｄ  組み立て用ビス孔
１３、１３’（１３a、１３ｂ）  竿掛けアーム
１４  背側縁部
１５  第一のスライド溝
１６  第二のスライド溝
１７  第一のアーム枢着軸
１８  第二のアーム枢着軸
１９  開口
２０  案内突起
２１  開口
２２  ガイド突起
２３  ラッチ爪
２４a、２４ｂ、２４ｃ・・・  固定孔
２５  スプリング
２６a、２６ｂ  係合部
２７a、２７ｂ  係合溝
２８  円柱
２９  ホロー材の面
３０  他面
Ｗ：竿掛けアームの出幅
Ｌ：ガイド突起と案内突起間の距離
【図１】
2006061437.tif 000003
【図２】
2006061437.tif 000004
【図３】
2006061437.tif 000005
【図４】
2006061437.tif 000006
【図５】
2006061437.tif 000007
【図６】
2006061437.tif 000008
【図７】
2006061437.tif 000009
【図８】
2006061437.tif 000010
【図９】
2006061437.tif 000011
【図１０】
2006061437.tif 000012